(57)【要約】      （修正有）【課題】低コストで、簡単な操作で展開時のスクリーンへの応力を軽減でき、使用時に不要な部位が目障りとならない湾曲黒板用スクリーン装置を提供する。【解決手段】磁性を有するスクリーン２の水平な回動軸６への巻回による収納と回動軸から黒板前面への引き下げによる展開を回動軸に設けられたカム機構により手動で引き下げ、停止、巻き戻しを行うスクリーン装置において、回動軸の一方端部に同軸の円板４を配置し、円板の外周付近には円周に沿って貫通孔を複数並べて配置し、先端に係止片７ｂを有する長尺状の治具７を用いて、係止片を貫通孔に引っ掛けて下に引くことで回動軸を強制的に回転させスクリーンをカム機構による停止位置まで引き下げ可能とした。既に黒板に張り付いたスクリーンに対し、強制的にスクリーンを繰り出すことで、スクリーン上部２ｂに緩みを生じさせ、応力発生によるスクリーンの浮きや皺を解消できる。【選択図】図２
0003193412.tif 000002
【実用新案登録請求の範囲】
【請求項１】
曲面を有する湾曲黒板に使用され、磁性を有するスクリーンの、水平な回動軸への巻回による収納と、回動軸から黒板前面への引き下げによる展開を、回動軸に設けられたカム機構により手動で引き下げ、停止、巻き戻しを行うスクリーン装置において、
前記回動軸の一方端部に、回動軸と同軸の円板を配置し、該円板の外周付近には円周に沿って貫通孔を複数並べて配置し、先端に係止片を有する長尺状の治具を用いて、その係止片で円板の貫通孔に引っ掛けて下に引くことで回動軸を強制的に回転させ、スクリーンをカム機構による停止位置まで引き下げ可能としたことを特徴とする湾曲黒板に用いられるスクリーン装置。
【請求項２】
上記請求項１のスクリーン装置において、回動軸と円板との間に変速装置を介在させ、円板の回転に対する回動軸の回転を大きくしたことを特徴とする湾曲黒板に用いられるスクリーン装置。
【考案の詳細な説明】
【技術分野】
【０００１】
この考案は、黒板に設置されるスクリーン装置であって、スクリーンは磁性を有しており、未使用時は黒板の正面上部に巻回されて収納されて通常の黒板として使用し、使用時に下方に延ばして黒板の前面に磁性を用いて張り付けて展開する巻き取り型スクリーン装置に関し、更に詳しくは、曲面を有する黒板等に使用されるスクリーン装置に関するものである。
【背景技術】
【０００２】
会議室等比較的大きな室内において、説明や娯楽のためにプロジェクター映写、スライド映写、映画鑑賞等を行う場合、映像を映写するためのスクリーンが必要となるが、映写の度にスクリーンを設置するのは面倒であるので、予め設置してある黒板の上部付近にスクリーンを巻回して設置しておき、通常は黒板として使用し、映写の必要時にスクリーンを下方に引きだして、その状態でスクリーンに対して映像を映写し、映写が終了すれば、またスクリーンを巻回して黒板に戻すことが行われている。
【０００３】
このような上部に巻回されて収納されるスクリーンは、未使用時には回動軸に巻回されて収納され、使用時の引き延ばした状態で平面を保持するものであり、スクリーンの回動軸への巻回および引き出しは、電動モータによる回動軸の正逆回転によるものや、バネによりスクリーンの巻回方向へ付勢しておいて、人手によってバネの力に抗してスクリーン下辺を下方に引き出して適宜手段にてスクリーンを係止するものなどがある。
【０００４】
上記した人手によるスクリーンの巻回及び引き出し自在とする構造として、スクリーンを巻き取る回動軸の軸芯に対し、軸方向に沿って直線上に移動可能であるが軸芯に対して非回転のカムスプラインと、軸方向に移動せずに回動自在でスクリーン巻き上げ軸と一体に回転するカムホルダーを用意し、前記カムスプラインにはカム溝を設け、カムホルダーには切り換えボールを定位置に保持するようにし、カムスプラインにカムホルダーを被せてカムスプラインのカム溝にカムホルダーの切り換えボールが嵌まり込んで移動できるようにしておき、スクリーンを巻き上げ方向にバネ等で力を付勢しておき、また、カム溝の構成により切り換えボールがカム溝の所定の場所に嵌まり込んでカムスプラインとカムホルダーが係止（固定）される構造のものがある（例えば特許文献１参照）。
【０００５】
上記特許文献１の構造のスクリーン装置の作用としては、人手によるスクリーンの引き出し（引き下げ）時は、カム溝に対して切り換えボールが殆ど抵抗無く移動することで回転し、途中で引き出しを止めると、バネの力でスクリーンが巻き取られるが、その途中で切り換えボールがカム溝の所定の場所に嵌まり込んでカムスプラインとカムホルダーが係止され、スクリーンを少し巻き取られただけで巻き取りが停止され、スクリーンが所定の位置で保持される。次に、その状態から更に人手で引き下げると、切り換えボールが外れてカム溝に係止しない位置まで移動し、そのままスクリーンが完全に巻き取られる。
【０００６】
この特許文献１の構造は、ほぼ決まった手順にて任意の位置にスクリーンを固定したり巻き上げたりできるので、手動式での回転巻き上げ式のスクリーン装置に広範囲に採用されており、また、カム溝の構成により、固定部位がスクリーン回動軸の１回転毎に係止するものや、半回転や１／３、１／４回転巻き上げで係止する等の設定が可能である。
【０００７】
また、スクリーンに磁性を持たせることで、黒板等にスクリーンをぴったり張り付けることで、単に引き下げて浮いた状態のスクリーンに比べて、皺や揺れが無く、プロジェクターのピントずれ等も生じないという利点を有するものがある。
【０００８】
なお、最近、大型黒板は、その板面の水平方向が正面側に向って凹状に湾曲しているものがあり、このような黒板に対して設置される特許文献１のようなスクリーン装置では、例えば、磁性により張り付くスクリーン部分の上辺は黒板に沿って正面側に凹状に湾曲するのに対し、スクリーン巻回部は直線状となるので、その間で応力が発生し、黒板に張り付いたスクリーンの上辺中央部付近が黒板から離れて浮いたり、皺になったりすることがあった。
【０００９】
そこで、これらの問題を解消するため、例えば、スクリーンシートと巻取ロール（スクリーン巻回部）の間に伸縮性のある部材を用い、この伸縮性のある部材で上記応力を軽減し、スクリーンの浮きや皺を防止したものがある（例えば、特許文献２参照）。
【００１０】
また、同様に、上記凹状に湾曲した黒板に使用するスクリーン装置において、前記特許文献１の構造、即ち、スクリーン巻回部がカム溝の構造により所定の回転位置でカムとボールが係止してスクリーン巻回部を停止させる機構を利用して、スクリーンを手に持って引き下げる手段以外に、巻取ロール（スクリーン巻回部）を回転させる回転付加手段としての紐体を巻取ロールに備えることで、紐体を手で引っ張ることで黒板の上部の巻取ロールを強制的に回転させ、既に湾曲黒板に張り付いた状態のスクリーンと、巻き取りロールとの間にシートの緩みを作り、スクリーンに加わっていた応力を緩和させるようにしたものもある（例えば、特許文献３参照）。
【先行技術文献】
【特許文献】
【００１１】
【特許文献１】実用新案登録第３０７７１９４号公報
【特許文献２】特開２０１４−３５５１２号公報
【特許文献３】特開２０１４−１０２２７２号公報
【考案の概要】
【考案が解決しようとする課題】
【００１２】
ところで、特許文献２の構造のものは、スクリーン上部に伸縮性を有する部材が必要となるが、映像を映すといったスクリーン本体とは求められる目的が違う性質の材質を連結しなくてはならず、また伸縮性部材は比較的コストが高いといった問題があった。
【００１３】
また、特許文献３の構造のものは、伸縮性部材は必須とはならないが、回転付加部材として巻取ロールに巻回された紐体を用いており、スクリーン展開時に紐体が常に横に存在しており、これが揺れたりして目障りとなる。
【００１４】
そこでこの考案は、曲面を有する湾曲黒板に使用されるスクリーン装置において、低コストでかつ簡単な操作で、展開時のスクリーンへの応力を軽減でき、更に、スクリーン使用時に通常のスクリーンのように不要な部位が目障りとならないような湾曲黒板に用いられるスクリーン装置を提供するものである。
【課題を解決するための手段】
【００１５】
以上のような課題を解決するため、請求項１の考案は、曲面を有する湾曲黒板に使用され、磁性を有するスクリーンの、水平な回動軸への巻回による収納と、回動軸から黒板前面への引き下げによる展開を、回動軸に設けられたカム機構により手動で引き下げ、停止、巻き戻しを行うスクリーン装置において、
前記回動軸の一方端部に、回動軸と同軸の円板を配置し、該円板の外周付近には円周に沿って貫通孔を複数並べて配置し、先端に係止片を有する長尺状の治具を用いて、その係止片で円板の貫通孔に引っ掛けて下に引くことで回動軸を強制的に回転させ、スクリーンをカム機構による停止位置まで引き下げ可能とした湾曲黒板に用いられるスクリーン装置である。
【００１６】
この考案において、スクリーンの手動で引き下げ、停止、巻き戻しを行うカム機構としては、特許文献１その他で周知のように、スクリーンを巻き取る回動軸の軸芯に対し、軸方向に沿って直線上に移動可能であるが軸芯に対して非回転のカムスプラインと、軸方向に移動せずに回動自在でスクリーン巻き上げ軸と一体に回転するカムホルダーを用意し、前記カムスプラインにはカム溝を設け、カムホルダーには切り換えボールを定位置に保持するようにし、カムスプラインにカムホルダーを被せてカムスプラインのカム溝にカムホルダーの切り換えボールが嵌まり込んで移動できるようにしておき、スクリーンを巻き上げ方向にバネ等で力を付勢しておき、また、カム溝の構成により切り換えボールがカム溝の所定の場所に嵌まり込んでカムスプラインとカムホルダーが係止（固定）される構造のものである。
【００１７】
カム機構の上記構成により、スクリーンの回動軸からの手動による引き下げと、引き下げをやめるとスクリーンは少しだけ巻き取られた状態でカム機構により巻き取りを停止して黒板に張り付けることができ、また、その状態で黒板から離し、手で少し引き下げてカム機構によるロックを解除し、更にゆっくり上昇や下降させて所定の位置で再度引き下げて力を抜くと、少しだけ巻き取られた状態でカム機構により巻き取りを停止し、もちろんそのまま上昇させて収納させることもでき、これらは一般的に普及している構成である。
【００１８】
既にスクリーンを展開した状態で、長尺状の治具を用いて、黒板の上部にある回動軸と同軸の円板の貫通孔に、治具の係止片を掛けて下に下げることで、回動軸が回転し、スクリーンが下方に押し出され、湾曲黒板に磁着した部分のスクリーンと、回動軸との間で緩みが生じ、スクリーンの湾曲黒板に磁着した部分の湾曲した上辺と、回動軸に接続された直線状のスクリーンとの間で発生した応力が解消され、スクリーンの湾曲黒板からの浮きや皺の発生が解消される。
【００１９】
なお、カムスプライン表面でのカム溝の構成により１／２回転でロックされるものや１／３、１／４回転でロックされるものがあるが、この請求項の構成では、円板を１８０°（１／２）以上回転させるためには、係止片による円板の引き下げ（回転）作業を複数回行う必要が無いように、回動軸が１／３（１２０°）や、１／４回転（９０°）でロックされるカム機構が望ましい。
【００２０】
また、請求項２の考案は、上記請求項１のスクリーン装置において、回動軸と円板との間に変速装置を介在させ、円板の回転に対する回動軸の回転を大きくした構成を採用したものである。
【００２１】
上記構成によれば、変速装置により円板の少ない回転でスクリーンの引き出し回転を大きく取ることができ、特にカムスプライン表面でのカム溝の構成により１／２回転以上でロックされるものであっても、ロックさせるまでの円板の回転はそれより少なくて済むので、ロック回転が大きめのカム機構を用いたものに適する構成となる。
【考案の効果】
【００２２】
以上のように、請求項１の考案によると、既に黒板に張り付いたスクリーンに対し、治具を用いて強制的に回動軸を回転させてスクリーンを繰り出すことで、スクリーン上部に緩みを生じさせることができ、曲面を有する湾曲黒板に使用する際の応力の発生によるスクリーンの浮きや皺などの不都合を解消することができる。
【００２３】
また、必要な際に治具を用いて簡単な操作で回動軸を回転させることができ、スクリーン使用時は治具は残らずにスクリーン使用時に目障りなものが無くなる。
【００２４】
次に請求項２の考案によると、円板の少ない回転で回動軸をカム機構によるロック位置まで回転させることができ、特にカム機構の構成によりロック位置の回転角度が大きなもの（１／２回転等）であっても、円板の回転は１／２回転以内で済み、治具を用いた引き下げ作業を円板の１／２回転以内でカム機構がロックされるので、一度の引き下げ作業でロックさせることが可能となる。
【図面の簡単な説明】
【００２５】
【図１】この考案のスクリーン装置の正面図である。
【図２】この考案のスクリーン装置の一部拡大正面図である。
【図３】この考案のスクリーン装置の要部を示すもので、（Ａ）は円板の側面図、（Ｂ）は円板付近の正面断面図である。
【図４】この考案のスクリーン装置の作動を示すもので、（Ａ）は円板の側面図、（Ｂ）は円板付近の正面断面図である。
【図５】この考案のスクリーン装置の他の例の要部を示すもので、（Ａ）はギヤの配置を示す側面図、（Ｂ）は正面断面図である。
【考案を実施するための形態】
【００２６】
以下、この考案の実施例を添付図面を参考にして説明する。
図１及び図２に示すように、この考案のスクリーン装置のスクリーンケース１は、収納するスクリーン２を筒状に巻き取り可能な回動筒（図示せず）を収納する一般的に長尺状かつ筒状の箱体であり、その大きさは収納するスクリーン２の寸法によって種々のものがあるが、一例として直径約７０〜１００ｍｍ、長さ約１．５〜２ｍ程度である。また、スクリーンケース１の下面前方には長手方向に沿ったスクリーン２の出し入れ用の開口溝（図示せず）が設けられている。
【００２７】
このスクリーンケース１の材質は特に限定されるものではないが、その耐久性や軽量・剛性の点からアルミ合金を用いるのが一般的であり、湾曲を有する曲面黒板（図示せず）の中央上側に適宜手段（ネジ止め等）で固定される。
【００２８】
スクリーンケース１内には、図示しない前記回動筒が収納され、スクリーン使用前の状態では、この回動筒にスクリーン２が巻き付いてバネ等の巻き取り力が付勢されスクリーン２を巻き上げて筒状の巻回体を形成しており、前述のスクリーンケース１の開口溝を通じて巻回体からスクリーン２が下方に引き出される。
【００２９】
このスクリーン２は、下側の大部分をスクリーン本体部２ａが占めており、このスクリーン本体部２ａは、主に可撓性を有する布製で、表面が映像を映すための白地であり、裏面に磁性体を点在させるか、または磁性体をシート状にすることで、裏面が一様に磁性を有しており、鉄製の黒板等にスクリーン本体部２ａ全面が磁着するようになっており、特に正面側に向って凹形に湾曲する曲面を有する黒板であってもぴったりと張り付くことができるようになっている。
【００３０】
スクリーン２の上端部２ｂは、主に布製で、映像を映さない部分であり、材質は特にこだわらずコスト等との兼ね合いで決定すればよく、また、色彩も特にこだわらないが、不要な光の反射を抑えるために黒色やそれに近い色としており、更に、この部分には磁性体が存在せず、黒板には張り付かない。
【００３１】
スクリーン２の下端の下辺全体に沿って棒状体３が取り付けられており、棒状体３または棒状体３に設けた把手（図示せず）を手に持ったりフックに掛けてから引き下げた際は、スクリーン２はスクリーンケース１内の回動軸を巻き上げ方向と逆方向に回転させながら下方に移動し、スクリーン２を適宜な位置では後述の機構によりロックされて停止され、スクリーン本体部２ａが湾曲黒板に磁着した際、この棒状体３も湾曲黒板に沿うように柔軟性を有している。
【００３２】
上記スクリーンケース１の内部では、特許文献１で示した周知の構造のような、カムスプライン、カムホルダー、切り換えボール等により、スクリーン２の引き下げと停止による使用開始、及び使用後のスクリーン２の引き上げ巻き取りが手作業により簡単に行われるようになっている。
【００３３】
図示スクリーンケース１の左端には、スクリーンケース１内の回動筒と同軸で回動筒と一体に回動する回動軸６が突出し、この回動軸６の端部に一体となり、回動軸と同芯で同時に回転する円板４が設けられている。
【００３４】
この円板４は、図３（Ａ）の要部拡大図に示すように、円板４の外周付近に円周に沿った複数の貫通孔５が並べて配置してある（図示のものでは等間隔に１６個所）。
【００３５】
図３（Ｂ）に示すように、この円板４の中心線は、スクリーンケース１と一体のフレーム１ａに枢着されスクリーンケース１内でスクリーン２を巻回するスクリーン巻回体８と一体に回転する回動軸６と直結されており、スクリーン巻回体の回転に伴う回動軸６の回転により円板４は回転し、一方、円板４が回転すれば回動軸６を介してスクリーン巻回体が回転する。
【００３６】
図１乃至図３で示すように、治具７は、大部分を占める細長い円筒の棒状の本体７ａと、本体７ａの一方端部の少しの寸法分を９０度以上折り返した係止部７ｂが形成されており、この係止部７ａは前記円板４の貫通孔５を通過して係止可能な大きさになっている。
【００３７】
本考案のスクリーン装置の概要は上記の通りであり、スクリーンを使用する際は、まず曲面黒板の前側上方に固定されているスクリーンケース１の開口部から、棒状体３を手に持って引き出すことでスクリーン２が引き出され、任意の位置で手を放すと、少しだけスクリーン２は付勢された巻き上げ力により巻き上げられるが、カムを使った周知の係止機構にて回動軸の回転が止まり、スクリーン２はこの位置でロックされるようになっている。
【００３８】
更に、スクリーン本体部２ａの裏面の磁性体により全体が曲面を有する黒板に張り付くことになるが、この際、黒板の曲面（凹面）にスクリーン本体部２ａが張り付いてスクリーン本体部２ａの上辺は黒板に沿って直線上にならないが、スクリーンケース１内の回動軸に巻き付いたスクリーン２の部分は直線であり、応力がかかりスクリーン本体部２ａの上辺の中央付近が黒板から浮いてしまうことがある。
【００３９】
そこで、スクリーン２の上端部２ｂを緩ませれば、この上端部２ｂの部分で下のスクリーン本体部２ａの上辺の曲線と、スクリーンケース１内の回動体から繰り出し直後のスクリーン２の直線との差を、上端部２ｂの緩みで吸収することができる。
【００４０】
そこで、治具７を用い、図４のように、治具７の係止部７ｂを上にして本体部７ａを手で持って、黒板の上端部付近にあるスクリーンケース１横の円板４の貫通孔５のうち、上の方にある貫通孔５に係止部７ｂを入れて、そのまま治具７を下に引けば、係止部７ｂに係止された貫通孔５も下方に移動することで、円板４が前方に回転することになる。
【００４１】
円板４の前方への回転に伴い、回動軸６を介してスクリーン巻回体８も前方に回転し、スクリーン２を前方から下方に繰り出し、スクリーン２の本体部２ａは曲面黒板に磁力で固定されているので、上端部２ｂにおいて緩みが生じることになり、ここでスクリーン２に働いていた応力を軽減する。
【００４２】
スクリーン巻回体８は、前述の通り、１／４回転にてカム機構により係止するので、治具７の係止部７ｂとそれに係止された貫通孔５の図４の実線から点線で示す位置までの移動の間で、スクリーン巻回体はカム機構による停止が行われ、スクリーン２の上端部２ｂの緩みは維持されることになる。
【００４３】
上記実施形態は、スクリーン巻回体８のカム機構が１／３回転や１／４回転またはそれ以下の回転で係止するスクリーン装置に適用できるが、１／２回転にて係止する回動体８の場合、図示の円板４の１８０°の回転が必要となってしまう。
【００４４】
しかしながら、円板４の貫通孔５に係止部７ｂを引っ掛けた状態で引き下げるだけで円板４の１８０°以上の回転は得ることができない。そこで、円板４の回転に対してスクリーン巻回体８の回転をより大きくする機構を円板４の回動軸とスクリーン巻回体８の回動軸との間に入れればよく、その実施形態を以下に説明する。
【００４５】
図５は、変速装置９を用いて円板４の回転に対してスクリーン巻回体の回転をより大きくした実施形態の要部を示すものであり、この部分以外は図１乃至図２に示す他の部位は同様であり、スクリーン２や円板４等については先の説明にて代えるものとする。
【００４６】
変速装置９は円板４とスクリーン巻回体（図示せず）との間に配置され、ギヤボックス１０内に、円板４と一体と回転する軸１１ａに固定されたギヤ１１と、ギヤ１１の半分の径でギヤ１１と噛み合うギヤ１２と、ギヤ１２と同径でギヤ１２と噛み合うギヤ１３の３つのギヤを組み込んでいる。
【００４７】
各ギヤ１１、１２、１３はそれぞれギヤボックス１０内で回動自在に枢着された軸１１ａ、１２ａ、１３ａにて支持固定され、前述の通り、軸１１ａはギヤボックス１０外の円板４と一体に回転し、また、ギヤ１３の軸１３ａはギヤボックス１０から円板４の反対方向に延長されて、図示しないがスクリーン巻回体８の回動軸６と一体に接続されている。
【００４８】
なお、変速のためにはギヤは２つでもよいが、３つのギヤ１１、１２、１３を用いたのは、円板４の回転方向とスクリーンが巻回用の回動軸６の回転方向を一致させて、円板４の作業時の感覚を変速装置９を用いない場合と合わせるためである。
【００４９】
上記の構造によれば、ギヤ１１とギヤ１２、１３の径の違いから、円板４の貫通孔５に治具７の係止部７ｂを係止して引き下げた時の円板４の回転角度に対し、軸１３ａの回転角度に２倍の角度が得られ、円板４の少ない回転で軸１３ａ（スクリーン巻回体９）が大きく回転する。
【００５０】
例えば、スクリーン巻回体のカム機構が、１／２回転にて係止する巻回体の場合であっても、円板４を１／４回転（９０°）させればスクリーン巻回体が１／２回転（１８０°）するので、スクリーン巻回体のカム機構による係止固定が得られ、スクリーン２の上端部２ｂの緩みが得られ、スクリーン本体部２は曲面を有する黒板に浮くこと無く張り付けることができる。
【００５１】
なお、変速装置９の構成要素の各ギヤのギヤ比等は、上記実施形態に限定されるものではなく、使用されるスクリーン巻回体８のカム機構における係止のための必要回転等を考慮して、操作がしやすくなるような変速比に適宜決定すればよい。
【００５２】
以上、この考案のスクリーン装置の実施形態を添付図面に基づいて説明したが、この考案のスクリーン装置は、この実施形態に限定されるものではなく、この考案の目的の範囲内で適宜設計変更して実施することができる。
【符号の説明】
【００５３】
１  スクリーンケース
１  フレーム
２  スクリーン
２ａ  スクリーン本体部
２ｂ  上端部
３  棒状体
４  円板
５  貫通孔
６  回動軸
７  治具
７ａ  本体
７ｂ  係止部
８  スクリーン巻回体
９  変速装置
１０  ギヤケース
１１  ギヤ
１１ａ  軸
１２  ギヤ
１２ａ  軸
１３  ギヤ
１３ａ  軸
【図１】
0003193412.tif 000003
【図２】
0003193412.tif 000004
【図３】
0003193412.tif 000005
【図４】
0003193412.tif 000006
【図５】
0003193412.tif 000007